(57)【特許請求の範囲】
【請求項１】
群を成した複数の弾球遊技機と、当該弾球遊技機の設置位置よりも高位置に配された島上タンクとを備えた遊技機群が複数設置された遊技場において、隣接する遊技機群における島上タンク同士を繋ぎ、所定の条件が満たされると、一方の島上タンクと他方の島上タンクとの間で遊技球の流れが形成される遊技球用島間搬送路であって、
一方の島上タンクから他方の島上タンクに遊技球を流す第一搬送経路と、他方の島上タンクから一方の島上タンクに遊技球を流す第二搬送経路とを有し、
第一搬送経路と第二搬送経路は、搬送される遊技球が他方の経路に流入することなく交差して流れる交差部で繋がっており、
交差部は、単一の外郭で形成されると共に、当該外郭内部の空間を分割して、双方の搬送経路の一部を形成していることを特徴とする遊技球用島間搬送路。
【請求項２】
前記交差部は、上下に貫通した開口を有し、当該開口は、前記異なる搬送経路ごとに設けられていることを特徴とする請求項１に記載の遊技球用島間搬送路。
【請求項３】
第一搬送経路は、前記交差部と、当該交差部前後の流路を形成する第一搬送流路形成部とで構成され、第二搬送経路は、前記交差部と、当該交差部前後の流路を形成する第二搬送流路形成部とで構成され、
交差部と、第一搬送流路形成部と、第二搬送流路形成部とが一体的に形成されていることを特徴とする請求項１又は２に記載の遊技球用島間搬送路。
【請求項４】
第一搬送経路は、前記交差部と、当該交差部前後の流路を形成する第一搬送流路形成部とで構成され、第二搬送経路は、前記交差部と、当該交差部前後の流路を形成する第二搬送流路形成部とで構成され、
交差部と、第一搬送流路形成部と、第二搬送流路形成部は、それぞれ別部材であることを特徴とする請求項１又は２に記載の遊技球用島間搬送路。
【請求項５】
群を成した複数の弾球遊技機及び当該弾球遊技機の設置位置よりも高位置に配された島上タンクとを有した複数の遊技機群と、隣接する遊技機群の島上タンク同士を繋いだ請求項１〜４のいずれかに記載の遊技球用島間搬送路を備えたことを特徴とする遊技場の構造。
【発明の詳細な説明】
【技術分野】
【０００１】
本発明は、複数の弾球遊技機が群を成した遊技機群同士を繋ぐ遊技球用島間搬送路に関するものであり、またその遊技球用島間搬送路を備えた遊技場の構造に関するものである。
【背景技術】
【０００２】
ぱちんこ機等の遊技機が設置された遊技場は、一般的に、複数の遊技機が群を成した遊技機島が複数設置されて形成されている。そして、通常、この種の遊技場には、いずれの遊技機島においても円滑に遊技が行えるように、各遊技機島内部の遊技球の保有量を常時平均化する、島間搬送路なるものが設置されている。すなわち、この島間搬送路は、隣接する遊技機島同士を結び、遊技機島における遊技球の不足分を相互に補い合う際に機能する。
【０００３】
そして、一般的に、この種の島間搬送路は、遊技球の不足分が供給される側の遊技機島に向けて下り勾配となる姿勢で固定されている。すなわち、島間搬送路を流れる遊技球は、傾斜に沿って自然搬送される。そして、島間搬送路は、一方の遊技機島側に遊技球を供給する流路形成部材と、他方の遊技機島側に遊技球を供給する別の流路形成部材が、平行且つ上下方向に交差する姿勢で設置されている。
例えば、この種の技術が特許文献１に開示されている。
【先行技術文献】
【特許文献】
【０００４】
【特許文献１】特開２００２−１９１８３５号公報
【発明の概要】
【発明が解決しようとする課題】
【０００５】
しかしながら、従来のように、隣接する遊技機島間に異なる２つの流路形成部材を用いて島間搬送路を形成した場合、遊技球の搬送に関しては特段問題が起こることはないが、外観が他社と殆ど差別化できないため、島間搬送路の販売のさらなる拡充が困難であり、売り上げが増進しないという不満があった。
【０００６】
そこで、本発明では、従来技術の問題点に鑑み、遊技機島間の球の搬送効率を低下させることなく、他社とデザインの差別化ができる遊技球用島間搬送路、並びに、遊技場の構造を提供することを課題とする。
【課題を解決するための手段】
【０００７】
上記課題を解決するべく提供される請求項１に記載の発明は、群を成した複数の弾球遊技機と、当該弾球遊技機の設置位置よりも高位置に配された島上タンクとを備えた遊技機群が複数設置された遊技場において、隣接する遊技機群における島上タンク同士を繋ぎ、所定の条件が満たされると、一方の島上タンクと他方の島上タンクとの間で遊技球の流れが形成される遊技球用島間搬送路であって、一方の島上タンクから他方の島上タンクに遊技球を流す第一搬送経路と、他方の島上タンクから一方の島上タンクに遊技球を流す第二搬送経路とを有し、第一搬送経路と第二搬送経路は、搬送される遊技球が他方の経路に流入することなく交差して流れる交差部で繋がっており、交差部は、単一の外郭で形成されると共に、当該外郭内部の空間を分割して、双方の搬送経路の一部を形成していることを特徴とする遊技球用島間搬送路である。
【０００８】
本発明の遊技球用島間搬送路は、隣接する遊技機群の島上タンク同士を繋いだ遊技球が搬送される流路に関するものであり、特に、流路が交差する部分に特徴的構成が備えられている。すなわち、本発明では、異なる経路を流れる遊技球が交差状に流れる交差部を、単一の外郭で形成して外観形状の一体性を図っている。これにより、遊技球用島間搬送路の外観形状がシンプルになり、シャープな印象を与えることができる。したがって、本発明によれば、交差部によって、島間搬送路全体のデザイン性が向上し、他社とのデザインの差別化が明確となるため、販売のさらなる拡充に繋げることができる。結果、売り上げの増進に繋げることができる。
【０００９】
さらに、本発明では、交差部の外郭内部の空間を互いに遊技球が入り交じることがないように分割して、各搬送経路（第一搬送経路と第二搬送経路）の一部を形成しているため、各経路を流れる遊技球は当該各経路を円滑に流れる。このため、本発明では、各経路における遊技球の搬送効率が低下することがない。
したがって、本発明によれば、遊技機島間における遊技球の搬送効率を低下させることがない上、他社デザインとの差別化を明確なものとすることができる。
【００１０】
本発明の遊技球用島間搬送路は、前記交差部は、上下に貫通した開口を有し、当該開口は、前記異なる搬送経路ごとに設けられていることが望ましい。（請求項２）
【００１１】
請求項３に記載の発明は、第一搬送経路は、前記交差部と、当該交差部前後の流路を形成する第一搬送流路形成部とで構成され、第二搬送経路は、前記交差部と、当該交差部前後の流路を形成する第二搬送流路形成部とで構成され、交差部と、第一搬送流路形成部と、第二搬送流路形成部とが一体的に形成されていることを特徴とする請求項１又は２に記載の遊技球用島間搬送路である。
【００１２】
かかる構成によれば、遊技球用島間搬送路全体が一体的に形成されているため、外観がよりシンプルになり、他社とのデザイン性の差がより明確なものにすることができる。
【００１３】
請求項４に記載の発明は、第一搬送経路は、前記交差部と、当該交差部前後の流路を形成する第一搬送流路形成部とで構成され、第二搬送経路は、前記交差部と、当該交差部前後の流路を形成する第二搬送流路形成部とで構成され、交差部と、第一搬送流路形成部と、第二搬送流路形成部は、それぞれ別部材であることを特徴とする請求項１又は２に記載の遊技球用島間搬送路である。
【００１４】
かかる構成によれば、交差部と、第一搬送流路形成部と、第二搬送流路形成部とが、それぞれ別部材であるため、施工現場の条件に合わせやすい。すなわち、第一搬送流路形成部や第二搬送流路形成部の遊技球の搬送方向長さを変更することで、現場の条件に柔軟に合わせたサイズに調整することができる。これにより、シンプル且つ汎用性の高い遊技球用島間搬送路を提供することができる。
【００１５】
請求項５に記載の発明は、群を成した複数の弾球遊技機及び当該弾球遊技機の設置位置よりも高位置に配された島上タンクとを有した複数の遊技機群と、隣接する遊技機群の島上タンク同士を繋いだ請求項１〜４のいずれかに記載の遊技球用島間搬送路を備えたことを特徴とする遊技場の構造である。
【００１６】
本発明の遊技場の構造は、隣接する遊技機島の島上タンク同士を、単一の外郭で形成された交差部を有した遊技球用島間搬送路で繋いだため、従来の島間搬送路と比較すると、デザインの差別化ができ、遊技場内のデザイン性が向上する。これにより、遊技球用島間搬送路のさらなる販売の拡充に繋げることができる。
【発明の効果】
【００１７】
本発明の遊技球用島間搬送路、並びに、遊技場の構造は、隣接する遊技機群の島上タンク同士を繋ぐ異なる２つの搬送経路を、単一の外郭で形成した交差部で繋いだため、デザイン性が高く、他社デザインとの差別化ができる。また、交差部内は、２つの搬送経路が完全分離されているため、技機島間における遊技球の搬送効率を低下させることがない。
【図面の簡単な説明】
【００１８】
【図１】本発明の第一実施形態に係る遊技球用島間搬送路を遊技機島に設置した状態を示す正面図である。
【図２】図１の遊技球用島間搬送路を示す斜視図である。
【図３】交差部の内部を概念的に示した説明図である。
【図４】図３の交差部を概念的に示したＡ−Ａ断面図である。
【図５】図３の交差部の内部をＢ方向から概念的に示した矢視図である。
【図６】図４の往来防止壁に注目して示した説明図である。
【図７】第二実施形態に係る遊技球用島間搬送路であって交差部の一部を破断して内部構造に注目した斜視図である。
【図８】図７の交差部を概念的に示したＣ−Ｃ断面図である。
【図９】図７の交差部の内部をＤ方向から概念的に示した矢視図である。
【発明を実施するための形態】
【００１９】
以下に、本発明の第一実施形態に係る遊技球用島間搬送路１について説明する。
本実施形態の遊技球用島間搬送路（以下、単に島間搬送路ともいう）１は、複数の遊技機（以下、ぱちんこ機という）３０を１つの群とした遊技機群（以下、遊技機島という）３１同士を連結する流路であり、いずれかの遊技機島３１で生じた遊技球（以下、単に球という）の不足分を、他のいずれかの遊技機島３１内部の球によって補う際に機能するものである。
まず、理解を容易にするため、１つの遊技機島３１に注目して説明する。
【００２０】
遊技機島３１は、島の外郭を形成する島構造部２８における、高さ方向中間あたりに複数のぱちんこ機３０を並設（図１の紙面奥行き方向に並べて設置）して形成されている。具体的には、本実施形態における遊技機島３１では、図１の左右に１列ずつ（１つの遊技機島３１に合計２列）、且つ、ぱちんこ機３０の背面が向き合うように設置されている。
【００２１】
また、島構造部２８の内部に位置又は外部に露出するように、各ぱちんこ機３０に球を搬送する島内部搬送路（図示しない）や、一時的な球貯留機能を備えたぱちんこ機３０の設置位置よりも低位置に位置する島下タンク（図示しない）及びぱちんこ機３０の設置位置よりも高位置に位置する島上タンク１６、並びに、球を研磨する研磨装置（図示しない）等のぱちんこ機３０を動作させる際に関連する部材や機器が配されている。
【００２２】
続いて、本実施形態の島間搬送路１について説明する。
本実施形態の島間搬送路１は、図１に示すように、隣接する遊技機島３１の島上タンク１６同士を繋ぎ、保有する球量が不足した遊技機島３１に対して球を供給する球供給用流路であり、図２、３に示すように、異なる２つの搬送経路１７、１８を単一の外郭部材１１で一体的に形成している。
【００２３】
外郭部材１１は、内側に第一搬送経路１７と第二搬送経路１８を有し、双方の経路が交差するように形成している。すなわち、外郭部材１１は、前記２つの搬送経路１７、１８が、図１、２に示すように、正面視すると、上下方向に交差し優角と劣角を形成するようなクロス形状とされ、また平面視すると、当該２つの搬送経路１７、１８がほぼ直線状とされている（図５）。換言すれば、本実施形態における２つの搬送経路１７、１８は、図２に示すように、鉛直仮想線Ｐに対して線対称な構造である。
【００２４】
外郭部材１１は、全体のほぼ中央に交差部２が形成され、その交差部２を基準に、互いに離反するように４方向に延びた直線流路形成部５〜８を備えた構成である。より詳細には、外郭部材１１は、直線流路形成部５、７が交差部２の前後で右に向かって同一角度で傾斜する下り勾配であり、直線流路形成部６、８が交差部２の前後で左に向かって同一角度で傾斜する下り勾配である。そして、４つの直線流路形成部５〜８は、直線流路形成部５、８の間と、直線流路形成部６、７の間に劣角が形成された関係とされている。また、外郭部材１１は、直線流路形成部５、６の間と、直線流路形成部７、８との間に優角が形成された関係でもある。さらに言えば、外郭部材１１は、通常の設置姿勢を基準に、劣角が水平方向に対向し、優角が鉛直方向に対向する位置に配された構成である。
【００２５】
また、直線流路形成部５〜８は、断面形状がほぼ長方形状の流路であり、一方の端部に島上タンク１６と接続可能なタンク接続部（図示しない）が設けられ、他方の端部は交差部２と一体的に形成された構成とされている。
【００２６】
交差部２は、図２に示すように、２つの搬送経路１７、１８が集合する交点である上、上記したように、単一の外郭部材１１によって形成されている。すなわち、交差部２は、外観上、搬送経路ごとに分離した構造ではなく、２つの搬送経路１７、１８の外観が一体的になるようなシンプルな構成とされている。
【００２７】
また、交差部２は、集合する２つの搬送経路１７、１８のハブ機能を果たす部位であり、さらにそれぞれの搬送経路１７、１８を流れる球が完全分離して通過するように形成されている。そして、交差部２は、図３に示すように、通常の設置姿勢において、２つの搬送経路１７、１８が互いに異なる方向に傾斜する構成とされている。すなわち、交差部２内部のそれぞれの搬送経路１７、１８は、交差部２に球が流入する流入部２１と、流入部２１より下流側に位置し流路幅を徐々に狭める流路幅規制部材１２と、前記狭められた流路を通過した球を下方に落下させる交差部開口１３と、交差部開口１３を通過した球を滞りなく下流側に流すガイド傾斜部１４と、ガイド傾斜部１４によって案内された球を交差部２から流出させる流出部２２と、搬送経路１７、１８間での球の往来を防止する往来防止壁１５とで構成された流路である。
なお、交差部２における流入部２１及び流出部２２は、交差部２の理解を容易にするために示した便宜上のものであり、球の流れ方向を基準とした交差部２の始点と終点にあたる。
【００２８】
流路幅規制部材１２は、板状部材であり、流入部２１と後述する横断往来防止壁１５ａ（往来防止壁１５）との間に位置し、下流側に向けて、所定の流路幅から、徐々にその流路幅のほぼ半分程度の幅となるように流路の幅を規制して狭幅員流路部３５を形成する。具体的には、流路幅規制部材１２は、図３、５に示すように、交差部２における流路の側壁を始点として、流路幅が直線流路形成部５〜８の流路幅の半分程度に至るまで、流路幅方向に横切るように配されている。より詳細には、本実施形態では、流路幅規制部材１２の終点端部が、横断往来防止壁１５ａの幅方向ほぼ中央に接続されている。また、流路幅規制部材１２の高さは、流路幅規制部材１２を球が越えることができない程度の大きさであり、好ましくは、流路の高さ（流路の底壁と天壁の間隔）とほぼ同一の大きさである。
なお、２つの搬送経路１７、１８の流路幅規制部材１２は、前記線対称の関係から、各始点端部が対向する異なる側壁に接続され、各終点端部が横断往来防止壁１５ａの同一位置に接続されている。
【００２９】
交差部開口１３は、図３〜５に示すように、前記した狭幅員流路部３５におけるほぼ最下流の位置の底壁に設けられた上下方向に連通した開口で、その開口形状は方形にされている。すなわち、交差部開口１３は、狭幅員流路部３５の下り勾配に沿って流れた球を、さらに下流に流すために、鉛直下方に搬送する搬送方向変更開口である。
なお、２つの搬送経路１７、１８の交差部開口１３は、前記線対称の関係から、横断往来防止壁１５ａを間に、対角線上に配されている。より具体的には、２つの交差部開口１３は、流路幅規制部材１２の終点端部を通過する対角線上に配されている。
【００３０】
ガイド傾斜部１４は、図３、４に示すように、交差部開口１３の上流側縁端近傍と流出部２２の位置の底壁とを繋ぐ補助底壁であり、第一搬送経路１７を流れる球であって、交差部開口１３を通過した球を、第二搬送経路１８に導かれることを防止するものである。すなわち、ガイド傾斜部１４は、交差部開口１３を通過した球が、劣角方向に流れることを防止して球を正規の方向に流す案内手段である。
また、ガイド傾斜部１４は、狭幅員流路部３５の最下流位置における流路幅とほぼ同一の部材幅にされており、幅方向端部に沿って設けた側壁によって、搬送経路１７、１８ごとに独立した流路が形成されている。すなわち、ガイド傾斜部１４は、流路幅端部に、当該ガイド傾斜部１４の延伸方向（球の流れ方向）に沿った外郭部材１１及び後述する平行往来防止壁１５ｂ（往来防止壁１５）が設けられ、それらで囲繞したガイド流路部３６を形成している。
なお、２つの搬送経路１７、１８のガイド傾斜部１４は、前記線対称の関係から、平行且つ上下方向に交差するように配されている。
【００３１】
往来防止壁１５は、交差部２内において、第一搬送経路１７と第二搬送経路１８との間で球の行き来を防止する越境防止機能を果たす板状部材であり、本実施形態では２箇所に配されている。すなわち、往来防止壁１５には、交差部開口１３よりも上方に位置し、流路を横断するように設けられた横断往来防止壁１５ａ（図３）と、交差部開口１３よりも下方に位置し、外郭部材１１と共にガイド流路部３６の側壁を形成する平行往来防止壁１５ｂ（図６）がある。
【００３２】
横断往来防止壁１５ａは、図３〜６に示すように、交差部２における第一搬送経路１７の流入部２１と第二搬送経路１８の流入部２１の中央の位置であって、第一搬送経路１７と第二搬送経路１８の流路の幅方向に跨るように配されている。すなわち、横断往来防止壁１５ａは、１つの部材であって、図面の手前側が第一搬送経路１７側に位置し、奥側が第二搬送経路１８側に位置する。
【００３３】
平行往来防止壁１５ｂは、図３、６に示すように、前記したガイド流路部３６が位置する場所であって、当該流路部３６の側壁を形成する外郭部材１１と平行になるように配されている。すなわち、平行往来防止壁１５ｂは、２つの搬送経路１７、１８を、流路の延長方向に沿って２分割するように、外郭部材１１の幅方向ほぼ中央に設けられている。換言すれば、２つの搬送経路１７、１８の各ガイド流路部３６は、側壁として、共通する１つの側壁たる平行往来防止壁１５ｂを有する。
また、この平行往来防止壁１５ｂは、図６に示すように、正面視形状が、歪な矩形状を呈している。具体的には、４つの三角形を組み合わせた形状である。より詳細には、異なる２つの三角形を組み合わせて形成されたものが２組、鏡像の関係で配されて形状を呈している。
【００３４】
以上の構成により、交差部２では、図３、４に示すように、流入部２１を通過した球は、狭幅員流路部３５を交差部開口１３に向かって流れ、当該交差部開口１３に到達すると鉛直下方に流れを変える。そして、ガイド流路部３６に導入された球は、ガイド傾斜部１４に沿って流出部２２に向けて流れる。そして、このとき、交差部２内の１つの搬送経路（例えば、第一搬送経路１７）を流れる球は、別の搬送経路（例えば、第二搬送経路１８）内に流れ込むことはなく、円滑に正規のルートで搬送される。
【００３５】
続いて、本実施形態の島間搬送路１の遊技場における位置関係について説明する。
島間搬送路１は、従来のそれと同様、隣接する遊技機島３１の島上タンク１６を繋ぐように設置されている。具体的には、島間搬送路１は、図１に示すように、直線流路形成部５、６が、直線流路形成部７、８よりも高位置になるような姿勢で、劣角を形成する直線流路形成部５及び直線流路形成部８、又は、直線流路形成部６及び直線流路形成部７が、島上タンク１６に接続されている。
【００３６】
次に、本実施形態の島間搬送路１の機能について説明する。
島間搬送路１は、隣接する遊技機島３１間において、不足した球量を補い合う際に機能するものであり、球不足に基づいた要求に応じて、一方の遊技機島３１から他方の遊技機島３１に球を搬送するものである。
例えば、図１の右側に示す遊技機島３１ｃが、その左側に位置する遊技機島３１ｂに対して球の供給を要求すれば、島間搬送路１を介して、遊技機島３１ｂ側が保有する球が搬送される。すなわち、遊技機島３１ｂの島上タンク１６ｂに貯留された球が、第一搬送経路１７に流されて、遊技機島３１ｃの島上タンク１６ｃに導入される。より詳細に説明すると、島上タンク１６ｂから排出された球は、まず、右方向に下り勾配の直線流路形成部５を流れる。そして、直線流路形成部５を通過した球は、流入部２１から交差部２に導入される。交差部２に導入された球は、狭幅員流路部３５及びガイド流路部３６を通過して、流出部２２から、直線流路形成部７に排出される。そして、その球は、直線流路形成部７を介して、遊技機島３１ｃの島上タンク１６ｃに導入される。
なお、遊技機島３１ａから遊技機島３１ｂ、遊技機島３１ｂから遊技機島３１ａ、並びに、遊技機島３１ｃから遊技機島３１ｂに対して、球を供給する場合も上記と同様である。
【００３７】
このように、本実施形態の島間搬送路１は、所定の遊技機島３１に供給するべき球を、第一搬送経路１７や第二搬送経路１８を介して、円滑に搬送することができるため、従来と同等あるいはそれ以上の搬送効率を確保することができる。
また、これに加えて、本実施形態の島間搬送路１は、単一の外郭部材１１で形成しているため、外観が極めてシンプルで、デザイン性に特徴がある。そのため、他社製品との差別化ができ、販売のさらなる拡充を図ることが可能である。
【００３８】
上記実施形態では、交差部２において、ガイド傾斜部１４を設けてガイド流路部３６を形成し、そのガイド流路部３６を介して、球を交差部開口１３から流出部２２まで導く構成を示したが、本発明はこれに限定されず、ガイド流路部３６を形成することなく、球を流出部２２まで導く構成であっても構わない（第二実施形態）。すなわち、本実施形態の島間搬送路３は、図７、８に示すように、交差部開口１３を通過した球を、鉛直下向きに自然落下させて、その後、流出部２２に到達する交差部４を備えた構成である。この場合、図９に示すように、２つの搬送経路１７、１８の交差部開口１３は、上記実施形態と同様、対角線上に位置する関係を維持した状態で、互いに他方の領域に入り込んだ位置関係となる。すなわち、２つの交差部開口１３は、球の流れを基準にすれば、一方の交差部開口１３に向けた流路の中途に、他方の交差部開口１３が位置する関係である。そして、２つの搬送経路１７、１８間で球の往来がないように、平面視形状がほぼ「Ｓ」字型の横断往来防止壁５０を設けている。
このような構成とすることで、上記実施形態と同様の作用効果を得ることができる。
【００３９】
上記第一、第二実施形態では、直線流路形成部５〜８と、交差部２、４とが全体として一体化された構成を示したが、本発明はこれに限定されず、直線流路形成部と、交差部とがそれぞれ別体であって、組み立て可能な構成であっても構わない。要するに、本発明では、交差部の外観が単一の外郭部材で形成されていれば、上記実施形態と同様の作用効果を得ることができる。
【符号の説明】
【００４０】
１、３    遊技球用島間搬送路（島間搬送路）
２、４    交差部
５〜８    直線流路形成部
１１    外郭部材
１２    流路幅規制部材
１３    交差部開口
１４    ガイド傾斜部
１５    往来防止壁
１５ａ、５０    横断往来防止壁
１５ｂ    平行往来防止壁
１６    島上タンク
１７    第一搬送経路（搬送経路）
１８    第二搬送経路（搬送経路）
３０    ぱちんこ機
３１    遊技機島
３５    狭幅員流路部
３６    ガイド流路部
【図１】
0005855451.tif 000002
【図２】
0005855451.tif 000003
【図３】
0005855451.tif 000004
【図４】
0005855451.tif 000005
【図５】
0005855451.tif 000006
【図６】
0005855451.tif 000007
【図７】
0005855451.tif 000008
【図８】
0005855451.tif 000009
【図９】
0005855451.tif 000010